(57)【要約】【課題】排水口への設置状態では捕捉性を満足し、捕捉したゴミを廃棄する際には手を汚さずにゴミ捨てが簡単にできるヘアキャッチャーを提供すること。【解決手段】複数のゴミ捕捉用突起２が立設された基台３と、基台３の上面に対向させて配置されると共にゴミ捕捉用突起２が摺動自在に貫通する貫通孔４が設けられた可動台５とを備え、基台３と可動台５とを互いに近接・離反する方向に移動させることでゴミ捕捉用突起２が可動台５の貫通孔４に対して摺動できるように構成したヘアキャッチャー１である。【選択図】図１
2009052349.tif 000002
【特許請求の範囲】
【請求項１】
排水口内の所定位置に着脱自在に設置されるヘアキャッチャーであって、上面に複数のゴミ捕捉用突起が立設された基台と、上記基台の上面に対向させて配置されると共に上記ゴミ捕捉用突起が摺動自在に貫通する貫通孔が設けられた可動台とを備え、上記基台と可動台とを互いに近接・離反する方向に移動させることでゴミ捕捉用突起が可動台の貫通孔に対して摺動できるように構成したことを特徴とするヘアキャッチャー。
【請求項２】
上記排水口への設置状態では、ゴミ捕捉用突起の中間部分を可動台の貫通孔に位置決めする位置決め手段を備え、捕捉したゴミを廃棄する際はゴミ捕捉用突起の中間部分を可動台の上面よりも上方へ突き出し可能としたことを特徴とする請求項１記載のヘアキャッチャー。
【請求項３】
上記位置決め手段はゴミ捕捉用突起の中間部分に設けたカエリ部からなり、排水口への設置状態でカエリ部が貫通孔に対して引っ掛かることで基台と可動台とが位置決め保持されることを特徴とする請求項２記載のヘアキャッチャー。
【請求項４】
上記ゴミ廃棄時には、ゴミ捕捉用突起の先端部分を可動台の上面と略面一となるまで下方に引き込み可能としたことを特徴とする請求項１記載のヘアキャッチャー。
【請求項５】
上記ゴミ捕捉用突起の先端部が貫通孔の径よりも大きい直径を有することを特徴とする請求項４記載のヘアキャッチャー。
【請求項６】
上記ゴミ廃棄時には、可動台を基台から分離可能としたことを特徴とする請求項１記載のヘアキャッチャー。
【請求項７】
上記分離可能な可動台の貫通孔の径が、ゴミ捕捉用突起の最大直径よりも小さく形成されていることを特徴とする請求項６記載のヘアキャッチャー。
【請求項８】
上記ゴミ捕捉用突起は先端にいくほど細くなるテーパー形状に形成されていることを特徴とする請求項６又は７記載のヘアキャッチャー。
【請求項９】
上記可動台が弾性変形可能であることを特徴とする請求項１乃至８のいずれか一項に記載のヘアキャッチャー。
【請求項１０】
上記ゴミ捕捉用突起と可動台の上面とのなす角度が９０度以上であることを特徴とする請求項１乃至９のいずれか一項に記載のヘアキャッチャー。
【請求項１１】
上記基台の上面に立設される複数のゴミ捕捉用突起の配置が、基台の中央付近では疎となり、外周側で密となっていることを特徴とする請求項１乃至１０のいずれか一項に記載のヘアキャッチャー。
【発明の詳細な説明】
【技術分野】
【０００１】
本発明は、浴室等の排水口内に着脱自在に設置されるヘアキャッチャーに関するものである。
【背景技術】
【０００２】
従来から、ユニットバスルーム等の床パンの排水口に、多数のゴミ捕捉用突起を立設したヘアキャッチャーを着脱自在に取り付けた構造が知られている（例えば、特許文献１参照）。
【０００３】
ところが上記特許文献１に示される従来例にあっては、ヘアキャッチャーの多数のゴミ捕捉用突起で髪の毛や糸屑等のゴミを捕捉できるが、ゴミ廃棄時には、各々のゴミ捕捉用突起に絡んだゴミが除去されにくく、水洗いだけでは簡単に落ちず、このため手を汚して落とす必要があるなど、大変非衛生的な作業を強いられているのが現状である。
【特許文献１】特開２００５−２６４５７６号公報
【発明の開示】
【発明が解決しようとする課題】
【０００４】
本発明は上記の従来の問題点に鑑みて発明したものであって、排水口への設置状態では捕捉性を満足し、捕捉したゴミを廃棄する際には手を汚さずにゴミ捨てが簡単にできるヘアキャッチャーを提供することを課題とするものである。
【課題を解決するための手段】
【０００５】
前記課題を解決するために本発明は、排水口１０内の所定位置に着脱自在に設置されるヘアキャッチャーであって、上面に複数のゴミ捕捉用突起２が立設された基台３と、上記基台３の上面に対向させて配置されると共に上記ゴミ捕捉用突起２が摺動自在に貫通する貫通孔４が設けられた可動台５とを備え、上記基台３と可動台５とを互いに近接・離反する方向に移動させることでゴミ捕捉用突起２が可動台５の貫通孔４に対して摺動できるように構成したことを特徴としている。
【０００６】
このような構成とすることで、排水口１０への設置状態において排水が可動台５の上面５ａに突出しているゴミ捕捉用突起２によって排水中に含まれている髪の毛や糸屑等のゴミ７が捕捉される。その後、ヘアキャッチャー１を排水口１０から取り出して捕捉したゴミ７を廃棄する際は、基台３と可動台５とを互いに近接又は離反する方向に移動させることで、ゴミ捕捉用突起２が可動台５の貫通孔４に対して摺動して、可動台５の上面５ａに付着しているゴミ７がゴミ捕捉用突起２にしごき取られるようになり、従って、捕捉したゴミ７の廃棄を手を汚さずに簡単に且つ清潔に行なえるようになる。
【０００７】
また、上記排水口１０への設置状態では、ゴミ捕捉用突起２の中間部分２ｂに可動台５の貫通孔４が位置決めする位置決め手段を設け、捕捉したゴミ７を廃棄する際はゴミ捕捉用突起２の中間部分２ｂを可動台５の上面５ａよりも上方Ａへ突き出し可能とするのが好ましく、この場合、排水口１０への設置状態では、ゴミ捕捉用突起２の中間部分２ｂが可動台５の貫通孔４に位置決めされることで、基台３を可動台５から離間した状態で保持でき、これにより排水が可動台５の上面５ａから下方Ｂの基台３の上面へと流れ落ちる過程で、ゴミ捕捉用突起２の中間部分２ｂでゴミ７が捕捉され、さらに基台３の上面から排水口１０内へと流れ落ちる過程で、ゴミ捕捉用突起２の下側部分２ｃでゴミ７が捕捉されることとなり、ゴミ捕捉用突起２の中間部分２ｂと下側部分２ｃとの２段階でゴミ７を漏れなく捕捉できるようになる。一方、ヘアキャッチャー１を排水口１０から取り出してゴミ廃棄する時はゴミ捕捉用突起２の中間部分２ｂを可動台５の上面５ａから上方Ａに突き出させることにより、可動台５の上面５ａに付着しているゴミ７が可動台５に付着したままとならず、可動台５から離れてゴミ捕捉用突起２に移りやすくなるので、ゴミ７の廃棄が一層容易となる。
【０００８】
また、上記位置決め手段はゴミ捕捉用突起２の中間部分２ｂに設けたカエリ部６からなり、排水口１０への設置状態でカエリ部６が貫通孔４に対して引っ掛かることで基台３と可動台５とが位置決め保持されるのが好ましく、この場合、排水時にはカエリ部６によってゴミ捕捉用突起２の中間部分２ｂと下側部分２ｃとによる２段階でのゴミ捕捉を容易に実現できると共に、ゴミ廃棄時にゴミ捕捉用突起２が突き出されるとカエリ部６にゴミ７が引っ掛かりやすいため、可動台５の上面５ａに付着しているゴミ７がゴミ捕捉用突起２に一層移りやすくなる。
【０００９】
また、上記ゴミ廃棄時には、ゴミ捕捉用突起２の先端部分２ａを可動台５の上面５ａと略面一となるまで下方Ｂに引き込み可能とするのが好ましく、この場合、ゴミ捕捉用突起２で捕捉されたゴミ７は、可動台５の上面５ａとゴミ捕捉用突起２の先端部分２ａとで形成される平面部分に乗った状態となるため、捨てやすくなる。
【００１０】
また、上記ゴミ捕捉用突起２の先端部分２ａが貫通孔４の径ｇよりも大きい直径ｆを有するのが好ましく、この場合、ゴミ廃棄時にゴミ捕捉用突起２が可動台５の貫通孔４から抜けることがなく、可動台５が基台３から脱落することもないため、ゴミ廃棄がしやすくなる。
【００１１】
また、上記ゴミ廃棄時には、可動台５を基台３から分離可能とするのが好ましく、この場合、ゴミ廃棄時に基台３を可動台５から分離することで、ゴミ７がゴミ捕捉用突起２から可動台５へとしごき取られるようになり、ゴミ廃棄が非常に簡単にできる。
【００１２】
また、上記分離可能な可動台５の貫通孔４の径ｇが、ゴミ捕捉用突起２の最大直径ｈよりも小さく形成されているのが好ましく、この場合、ゴミ廃棄時にゴミ捕捉用突起２を貫通孔４から引き抜いて基台３と可動台５とを分離する際に、ゴミ捕捉用突起２に絡みついたゴミ７が可動台５によって、こそぎとる効果が得られる。
【００１３】
また、上記ゴミ捕捉用突起２は先端にいくほど細くなるテーパー形状に形成されているのが好ましく、この場合、ゴミ捕捉用突起２の先端部分２ａを貫通孔４にはめ込みやすくなり、基台３と可動台５との組立がきわめて容易となる。
【００１４】
また、上記可動台５が弾性変形可能であるのが好ましく、この場合、例えばゴミ捕捉用突起２の外寸を可動台５の貫通孔４の内寸よりも大きくした場合でも、ゴミ廃棄時におけるゴミ捕捉用突起２の突き出し操作が可動台５の弾性変形によって可能となる。
【００１５】
また、上記ゴミ捕捉用突起２と可動台５の上面５ａとのなす角度θが９０度以上であるのが好ましく、この場合、ゴミ捕捉用突起２と可動台５の上面５ａとのなすコーナー部分へのゴミ７の付着力が弱くなり、ゴミ７の除去をより簡単にできるようになる。
【００１６】
また、上記基台３の上面に立設される複数のゴミ捕捉用突起２の配置が、基台３の中央付近では疎となり、外周側で密になっているのが好ましく、この場合、水流が中央から外周側に流れる場合において、ゴミ捕捉用突起２による捕捉性をより高めることができる。
【発明の効果】
【００１７】
本発明においては、排水口への設置状態では排水中に含まれている髪の毛や糸屑等のゴミが複数のゴミ捕捉用突起により効率よく捕捉されるものであり、一方、ゴミ廃棄時には基台と可動台とを互いに近接又は離反する方向に移動させるだけで、可動台の上面に付着しているゴミがゴミ捕捉用突起に移り、簡単に取り除くことができるようになり、結果、捕捉性を十分に高めつつ、捕捉したゴミの廃棄を手を汚さずに簡単に且つ清潔に行なえるものである。
【発明を実施するための最良の形態】
【００１８】
以下、本発明を添付図面に示す実施形態に基いて説明する。
【００１９】
図１（ａ）は、排水口１０内の所定位置に着脱自在に設置される本発明のヘアキャッチャー１の一例であり、本体部材８と補助部材９とで主体が構成されている。
【００２０】
本体部材８は、上面に複数のゴミ捕捉用突起２が立設された基台３を備えている。一方、補助部材９は、上記基台３の上面に対向させて配置され、水抜き穴１１と上記ゴミ捕捉用突起２が摺動自在に貫通する貫通孔４とが設けられた可動台５を備えている。これら基台３と可動台５とを互いに近接・離反する方向に移動させることで、ゴミ捕捉用突起２が可動台５の貫通孔４に対して摺動できるように構成されている。
【００２１】
ここで、上記基台３の上面の外周部には、複数のゴミ捕捉用突起２が基台３の中心と同心円上にほぼ等間隔で並んで立設されている。基台３の下面側には基台３を可動台５に対して動かすための操作棒１２が突設されている。
【００２２】
上記可動台５は、その中央部に１つの水抜き穴１１が形成され、水抜き穴１１を囲むようにして上記基台３のゴミ捕捉用突起２に各々対向する位置に複数の貫通孔４がほぼ等間隔で形成されている。可動台５の一端には取手１３が設けられている。
【００２３】
また、上記複数のゴミ捕捉用突起２は同じ形状をしており、各ゴミ捕捉用突起２の中間部分２ｂには、それぞれ、カエリ部６が設けられている。本例のカエリ部６は、図１（ｂ）に示すように、貫通孔４よりも大径となる方向に向けて略三角形状に突出しており、排水口１０への設置状態では、カエリ部６が貫通孔４の上縁に引っ掛かることによって貫通孔４に位置決めする位置決め手段を構成する。一方、ヘアキャッチャー１を排水口１０から取り出して捕捉したゴミ７を廃棄する際は、ゴミ捕捉用突起２の下側部分２ｃを可動台５の上方Ａへ突き出し可能としている。ここにおいて、可動台５が例えばゴムのような弾性変形可能な材質で形成されており、仮りに図１（ｂ）のようにゴミ捕捉用突起２の下側部分２ｃの外寸ｄが貫通孔４の内寸ｅ（＜ｄ）よりも大きくなっている場合であっても、下側部分２ｃの突き出し操作が可動台５の図１（ｂ）の矢印ｉで示す方向に弾性変形することによって可能となっている。また本例では、ゴミ捕捉用突起２の下側部分２ｃがカエリ部６から離れるほど徐々に大きくなるテーパー形状に形成されており、ゴミ捕捉用突起２の突き出しがスムーズに行なえるようにしている。ここで、ゴミ捕捉用突起２を図３（ｂ）のように上方Ａに突き出したときに、ゴミ捕捉用突起２と可動台５の上面５ａとのなす角度θが９０度以上となるのが望ましい。つまり、髪の毛や糸屑等のゴミ７が付着する部分の水接触角（θ）を鈍角にすることで、この部分でゴミ７の付着力が弱くなり、簡単に除去できるようになる。このことは以下の各実施形態（図６（ｂ）等）においても同様である。
【００２４】
さらに排水口１０への設置状態では、図１（ａ）のように、可動台５のみが排水口１０の内面に支持され、ゴミ捕捉用突起２の中間部分２ｂに設けたカエリ部６が可動台５の貫通孔４の上縁に引っ掛かることによって、可動台５の下方Ｂに基台３がぶら下がった状態で保持されている。つまり、基台３を排水口１０内に支持しなくても基台３が可動台５から脱落しない構造となっている。
【００２５】
次に動作を説明する。
【００２６】
先ず、図１（ａ）に示す排水口１０への設置状態において、浴室の排水時には例えば図２（ａ）の矢印ａで示すように、水流が可動台５の上面５ａの外周側からゴミ捕捉用突起２の中間部分２ｂの間を通り抜けて可動台５中央の水抜き穴１１に向かって流れ込み、さらに水抜き穴１１から基台３の中央上面へ流れ落ちた水流は、図２（ｂ）の矢印ｂで示すように、ゴミ捕捉用突起２の下側部分２ｃの間を通り抜けて可動台５の外周側へと流れて、最終的に図１の排水口１０内へと排水される。ここで、基台３の上面に立設される複数のゴミ捕捉用突起２は、基台３の外周側で密となるように配置されているので、図２（ａ）（ｂ）で示す水流ａ，ｂがそれぞれゴミ捕捉用突起２に当たりやすくなり、ゴミ７の捕捉がより効率的に行なわれる。つまり、水流が可動台５の上面５ａを図２（ａ）の矢印ａの方向に流れることで排水中のゴミ７はゴミ捕捉用突起２の中間部分２ｂで捕捉され、さらにその後、水抜き穴１１から流下した水流が可動台５の上面５ａを図２（ｂ）の矢印ｂの方向に流れることで、ゴミ捕捉用突起２の中間部分２ｂで捕捉されなかったゴミ７が、ゴミ捕捉用突起２の下側部分２ｃで捕捉されるようになる。従って、ゴミ捕捉用突起２の中間部分２ｂと下側部分２ｃとの２段階でゴミ７が漏れなく捕捉される構造となり、排水性を良好にしながら捕捉性を十分に高めることができるものである。
【００２７】
一方、捕捉したゴミ７を廃棄する際は、ヘアキャッチャー１を排水口１０から取り出して、図３（ａ）（ｂ）に示すように、操作棒１２を手で心太方式で押し出す。このとき基台３と可動台５との間の隙間によってゴミ捕捉用突起２の突き出し代が確保されているので、ゴミ捕捉用突起２の下側部分２ｃを可動台５の上方Ａに突き出すことができ（図３（ｂ）の状態）、これにより可動台５の上面５ａに付着しているゴミ７が可動台５に付着したままとならず、可動台５から離れてゴミ捕捉用突起２に移りやすくなる。しかも、ゴミ捕捉用突起２の中間部分２ｂに設けたカエリ部６にはゴミ７が引っ掛かりやすいため、可動台５の上面５ａに付着しているゴミ７がしごき取られてゴミ捕捉用突起２に移りやすくなり、ゴミ７を簡単に取り除くことができる。さらにその後、図３（ｂ）の状態から同（ａ）の状態に戻して基台３と可動台５との隙間に例えば水を流すだけで、ゴミ捕捉用突起２の下側部分２ｃや基台３の上面に付着しているゴミ７を洗い落とすことができる。この結果、捕捉したゴミ７の廃棄を手を汚さずに簡単に且つ清潔に行なえるようになる。
【００２８】
また本例では、排水口１０への設置状態ではゴミ捕捉用突起２に設けたカエリ部６が可動台５の貫通孔４の上縁に引っ掛かっているため、図１（ａ）のように可動台５を排水口１０内に支持するだけで基台３を可動台５の下方Ｂにぶら下がった状態で保持できるようになり、従って、カエリ部６によってゴミ捕捉用突起２の中間部分２ｂと下側部分２ｃとによる２段階での漏れのないゴミ捕捉を容易に実現できるものである。
【００２９】
さらに本例では、可動台５が弾性変形可能となっているので、図１（ｂ）のようにゴミ捕捉用突起２の下側部分２ｃの外寸ｄを貫通孔４の内寸ｅよりも大きくした場合でも、ゴミ廃棄時におけるゴミ捕捉用突起２の下側部分２ｃの突き出し操作が可動台５の弾性変形によって可能となる。従って、図３（ａ）の状態から（ｂ）の状態にしたときにゴミ捕捉用突起２の下側部分２ｃに絡みついたゴミを可動台５によってしごき取ることができ、図３（ａ）の状態で水洗いによって当該ゴミを簡単に洗い流すことができる利点もある。
【００３０】
なお、本例では可動台５を排水口１０に支持したが、基台３の方を排水口１０に支持してもよい。さらに、基台３のゴミ捕捉用突起２よりも外周側に水抜き穴を設けるのが好ましい。
【００３１】
図４は本発明の他の実施形態であり、ゴミ捕捉用突起２のカエリ部６の変形例を示している。他の構成は図１の実施形態と同様である。本例ではゴミ捕捉用突起２の中間部分２ｂにゴミ捕捉用突起２の先端部分２ａよりも大径で且つ貫通孔４よりも大径となった段形状のカエリ部６を設けている。また本例では基台３を排水口１０の内面に支持し、基台３の上面に可動台５を載せた構造としてある。しかして、排水口１０への設置状態では、図４（ａ）（ｂ）のようにゴミ捕捉用突起２の段形状のカエリ部６によって可動台５が基台３から離れた状態で位置決めされるので、図１の実施形態と同様に、ゴミ捕捉用突起２の中間部分２ｂと下側部分２ｃとの２段階での漏れのないゴミ捕捉を容易に実現できる。一方、ゴミ廃棄時にはゴミ捕捉用突起２に設けた段形状のカエリ部６を弾性変形可能な可動台５の貫通孔４を押し広げるようにして可動台５の上方Ａに突き出すことにより（図４（ｃ）の状態）、可動台５の上面５ａに付着しているゴミ７が可動台５から離れてカエリ部６に引っ掛かって持ち上がるので、ゴミ７の廃棄が一層容易となる。
【００３２】
図５、図６は本発明のさらに他の実施形態であり、ゴミ捕捉用突起２の先端部分２ａが貫通孔４の径ｇよりも大きい直径ｆ（＞ｇ）を有していると共に、ゴミ廃棄時にゴミ捕捉用突起２の先端部分２ａを可動台５の上面５ａと略面一となるまで下方Ｂに引き込み可能とした場合を示している。本例では、ゴミ捕捉用突起２の先端部分２ａが鍔形状をしており、且つゴミ７が取り除かれやすくするために先端部分２ａと可動台５の上面５ａとのなす角度θが９０度以上となっている。また可動台５と基台３の両方に水抜き穴（図示せず）が設けられている。なお可動台５が弾性変形可能である点は図１と同様である。しかして、排水口１０への設置状態では図５（ａ）のように基台３と可動台５とを重ねあわせてゴミ捕捉用突起２を可動台５の上方Ａに突き出した状態で保持する。これにより、排水時の水流が可動台５の上面５ａから可動台５と基台３の両方に設けた水抜き穴（図示せず）を通って排水口１０内へと排水される途中で、排水中のゴミ７が可動台５の上面５ａから突出している複数のゴミ捕捉用突起２で捕捉される。その後、ゴミ廃棄時には図５（ｂ）のように基台３を可動台５から引き離すことによって、ゴミ捕捉用突起２の先端部分２ａが可動台５の上面５ａとほぼ面一となるまで下方Ｂに引き込まれる。この状態ではゴミ７は平面に載っている状態、つまり可動台５の上面５ａとゴミ捕捉用突起２の先端部分２ａとに乗っている状態（図６（ｂ）の状態）となり、捨てやすくなる。しかも、ゴミ捕捉用突起２の先端部分２ａは貫通孔４より大径となっているので、ゴミ捕捉用突起２が可動台５から抜けることがなく、可動台５が基台３から脱落することもなく、ゴミ廃棄がしやすくなる。
【００３３】
図７、図８は本発明のさらに他の実施形態であり、ゴミ廃棄時に可動台５を基台３から分離可能とした場合の一例を示している。本例では分離可能な可動台５の貫通孔４の径ｇが、ゴミ捕捉用突起２の最大直径ｈよりも小さく形成されている。具体的にはゴミ捕捉用突起２は先端にいくほど細くなるテーパー形状に形成されている。なお可動台５が弾性変形可能である点、可動台５と基台３の両方に水抜き穴（図示せず）が設けられる点は、図５、図６と同様である。しかして、排水口１０への設置状態では図７（ａ）、図８（ａ）のように基台３と可動台５とを重ねあわせてゴミ捕捉用突起２を可動台５の上方Ａに突き出した状態で保持することにより、排水中のゴミ７が可動台５の上面５ａから突き出されたゴミ捕捉用突起２で捕捉される。また、弾性変形可能な可動台５の貫通孔４から先端が細いテーパー形状のゴミ捕捉用突起２を突き出すようにしたので、ゴミ捕捉用突起２を貫通孔４にはめ込みやすくなる。その後、ゴミ廃棄時には基台３を可動台５から分離する（図７（ｂ）の状態）。このとき、ゴミ７はゴミ捕捉用突起２から可動台５へとしごき取られるので、可動台５が弾性変形可能であることとあいまって、ゴミ７の廃棄を非常に簡単にできるようになる。また、可動台５の貫通孔４の径ｇがゴミ捕捉用突起２の最大直径ｈよりも小径となっているので、ゴミ廃棄時にゴミ捕捉用突起２を貫通孔４から引き抜いて基台３と可動台５とを分離する際に、ゴミ捕捉用突起２に絡みついたゴミ７が可動台５によってしごき取られる、つまりゴミ７をこそぎとる効果が得られ、ゴミ廃棄が一層容易となる。
【図面の簡単な説明】
【００３４】
【図１】（ａ）は本発明のヘアキャッチャーの一例を示す斜視図であり、（ｂ）は可動台の貫通孔にゴミ捕捉用突起のカエリ部が引っ掛かった状態を説明する側面断面図である。
【図２】（ａ）は排水時の水流が同上の可動台の上面の外周側からゴミ捕捉用突起の中間部分の間を通り抜けて水抜き穴に流れ込む場合を説明する可動台の平面図であり、（ｂ）は同上の水抜き穴から流れ落ちた水流が基台の中央からゴミ捕捉用突起の下側部分の間を通り抜けて外周側へ流れ出る場合を説明する基台の平面図である。
【図３】（ａ）は同上の操作棒を押し出す前の状態を示し、（ｂ）は操作棒を押し出した後の状態を示す斜視図である。
【図４】（ａ）は本発明の他の実施形態であり、（ｂ）は（ａ）においてゴミ捕捉用突起のカエリ部によって可動台が基台から離れて位置決めされた状態を示す側面断面図であり、（ｃ）はゴミ捕捉用突起のカエリ部を可動台の貫通孔から突き出した状態を示す側面断面図である。
【図５】（ａ）は本発明のさらに他の実施形態であり、（ｂ）はゴミ廃棄時にゴミ捕捉用突起の先端部分を可動台の上面と略面一となるまで下方に引き込んだ状態を示す斜視図である。
【図６】（ａ）は上記図５（ａ）と対応するゴミ捕捉用突起の突き出し状態を示す側面断面図であり、（ｂ）は上記図５（ｂ）と対応するゴミ捕捉用突起の引き込み状態を示す側面断面図である。
【図７】（ａ）は本発明のさらに他の実施形態であり、（ｂ）はゴミ廃棄時に可動台を基台から分離した状態を示す斜視図である。
【図８】（ａ）は上記図７（ａ）と対応するゴミ捕捉用突起の突き出し状態を示す側面断面図であり、（ｂ）は上記図７（ｂ）と対応するゴミ捕捉用突起が可動台から分離した状態を示す側面断面図である。
【符号の説明】
【００３５】
１  ヘアキャッチャー
２  ゴミ捕捉用突起
２ａ  先端部分
２ｂ  中間部分
２ｃ  下側部分
３  基台
４  貫通孔
５  可動台
５ａ  上面
６  カエリ部
７  ゴミ
１０  排水口
Ａ  上方
Ｂ  下方
ｆ  ゴミ捕捉用突起の先端部分の直径
ｇ  貫通孔の径
ｈ  ゴミ捕捉用突起の最大直径
【図１】
2009052349.tif 000003
【図２】
2009052349.tif 000004
【図３】
2009052349.tif 000005
【図４】
2009052349.tif 000006
【図５】
2009052349.tif 000007
【図６】
2009052349.tif 000008
【図７】
2009052349.tif 000009
【図８】
2009052349.tif 000010